(57)【要約】【課題】  利用者の動線の乱れを防止し、快適に通過できるゲート装置を提供することを目的とする。【解決手段】  利用者の所持する記憶媒体から情報を読み取り、該情報に基づいて前記利用者の通過可否を判定するゲート装置に、入り口側の通路表面に照射光を照射する照射手段と、通路への進入可否を判定する進入可否判定手段と、該進入可否判定手段が進入不可と判定した場合に前記照射手段に所定の照射光を照射させる照射制御手段とを備えた。【選択図】    図６
2006215796.tif 000002
【特許請求の範囲】
【請求項１】
利用者の所持する記憶媒体から情報を読み取り、該情報に基づいて前記利用者の通過可否を判定するゲート装置であって、
入り口側の通路表面に照射光を照射する照射手段と、
通路への進入可否を判定する進入可否判定手段と、
該進入可否判定手段が進入不可と判定した場合に前記照射手段に所定の照射光を照射させる照射制御手段とを備えた
ゲート装置。
【請求項２】
前記所定の照射光を、進入可と判定した場合に照射する照射光と異なる色の照射光により構成した
請求項１記載のゲート装置。
【請求項３】
前記通路を通過する利用者を検出する利用者検出手段を備え、
前記照射制御手段を、
前記利用者検出手段が通過中の利用者を検出している状態か、記憶媒体から情報を読み取って通過可否を判定する判定処理中の状態か、いずれかの状態であれば前記照射手段に照射光を点滅照射させ、
それ以外の場合は前記照射手段に照射光を点灯照射させる構成とした
請求項１または２記載のゲート装置。
【発明の詳細な説明】
【技術分野】
【０００１】
この発明は、例えば利用者の所持する記憶媒体から情報を読み取り、読み取った情報に基づいて通過可否を判定するゲート装置に関する。
【背景技術】
【０００２】
従来、鉄道の駅に設置され、利用者の所持する乗車券や定期券といった記憶媒体から情報を読み取り、利用者の通過可否を判定する自動改札機などのゲート装置が提供されている。
【０００３】
このようなゲート装置として、従来の阻止扉やロールバー等を用いる必要のないゲート装置が提案されている（特許文献１参照）。このゲート装置は、阻止扉やロールバー等の代わりに、通過する利用者が視認できる発光報知手段を備えており、通過不可の判定時にこの発光報知手段を発光させるものである。
【０００４】
しかし、この発光報知手段は、上述のように阻止扉やロールバー等の代わりとなるものであるので、通路の退出側に設けられており、また、通過不可と判定された利用者に対して発光報知するものであるので、その次に並んで利用しようとしている利用者に対して、進入不可であることをゲート装置に近づく前に通知するものではなかった。
【０００５】
一方、他のゲート装置として、通路の進入可／不可を表示する自動改札機が提案されている（特許文献２参照）。この自動改札機は、前記進入可／不可の表示を、自動改札機の正面上部にある表示部や、天井に設けたスクリーンによって行うものである。
【０００６】
しかし、利用者は乗車券の投入口付近を見下ろすことから、天井に設けられたスクリーンは利用者に殆ど注目されなかった。また、正面上部に設けられた表示部は、混雑時に人影で視認し難くなるものであり、さらに、自動改札機が複数並設されいた場合、その表示されている進入可／不可の表示は、その表示部がある自動改札機本体の左右どちらの通路に対する表示なのかが、利用者にとってわかりずらかった。従って、この自動改札機についても、利用者は、進入不可となったことをゲート装置に近づく前に確実に知ることはできなかった。
【０００７】
このようなことから、複数並設されたゲート装置の１つに近づいた利用者が、近づいて初めて進入不可であることを知った場合、利用者は改めて他のゲート装置へ移動しなければならず、利用者の動線が乱れると共に、急いでいる利用者にタイムロスが生じるという問題点があった。
【０００８】
さらに、混雑時には、他の利用者が列をなして次々に他のゲート装置へ進入するため、他のゲート装置へ移動する利用者は列中に割り込むこととなり、一人の動線の乱れが多人数の動線の乱れに繋がり、より混雑させてしまうという問題点もあった。
【０００９】
【特許文献１】実用新案登録第２５７２３２４号公報
【特許文献２】特開２０００−１２３２０６号公報
【発明の開示】
【発明が解決しようとする課題】
【００１０】
この発明は、上述した問題に鑑み、利用者の動線の乱れを防止し、快適に通過できるゲート装置を提案することを目的とする。
【課題を解決するための手段】
【００１１】
この発明は、利用者の所持する記憶媒体から情報を読み取り、該情報に基づいて前記利用者の通過可否を判定するゲート装置であって、入り口側の通路表面に照射光を照射する照射手段と、通路への進入可否を判定する進入可否判定手段と、該進入可否判定手段が進入不可と判定した場合に前記照射手段に所定の照射光を照射させる照射制御手段とを備えたゲート装置であることを特徴とする。  
これにより、進入不可の通路自体に照射光が照射されているので、利用者はどの通路が進入不可であるかことを容易に知ることができる。すなわち、利用者は、乗車券の投入口付近を見下ろしながら歩いていても、入り口側の通路表面に照射された照射光を、ゲート装置に近づく前から容易に視認することができ、さらに、混雑時であっても、利用しようとする通路の前に並んでいる利用者の隙間から漏れた照射光を視認することができる。
【００１２】
この発明の態様として、前記所定の照射光を、進入可と判定した場合に照射する照射光と異なる色の照射光により構成することができる。  
これにより、進入可であるゲート装置と、進入不可であるゲート装置とを、利用者により明確に認識させることができる。
【００１３】
またこの発明の態様として、前記通路を通過する利用者を検出する利用者検出手段を備え、前記照射制御手段を、前記利用者検出手段が通過中の利用者を検出している状態か、記憶媒体から情報を読み取って通過可否を判定する判定処理中の状態か、いずれかの状態であれば前記照射手段に照射光を点滅照射させ、それ以外の場合は前記照射手段に照射光を点灯照射させる構成とすることができる。  
これにより、利用者の記憶媒体を受け付け可能な状態と、次の受け付けを一時中断する判定処理中の状態とを、照射光の照射によって示すことができる。
【発明の効果】
【００１４】
この発明により、利用者の動線の乱れを防止し、快適に通過できるゲート装置を提供することができる。
【発明を実施するための最良の形態】
【００１５】
この発明の一実施形態を以下図面と共に説明する。  
まず、図１に示す斜視図と共に、鉄道の駅構内への出入り口に設置する自動改札機１の構成について説明する。
【００１６】
自動改札機１は、２つの改札機本体１０（１０ａ，１０ｂ）を左右に対向させて設けており、この対設部間で改札通路３を構成している。ここで、右側の改札機本体１０ｂは正面を手前に向け、左側の改札機本体１０ａは背面を手前に向けて構成し、前後両方向の通過を通過可と通過拒否とに規制する。
【００１７】
この改札機本体１０は、改札通路３側の内側筐体１２と、該内側筐体１２の外側に接続した外側筐体１１（バーと呼ばれる部分）とで構成しており、全体を大人の普通人の腹部程度の高さに形成している。
【００１８】
前記内側筐体１２の上面の入り口側（改札機本体１０ｂであれば図示手前側）には、記憶媒体４０から情報を読み取る記憶媒体読取部の読取面１６を備えている。この読取面１６は、利用者が記憶媒体４０を提示しやすいように、前下がりに傾斜させている。ここで、記憶媒体４０は、非接触で通信可能な記憶媒体であり、ＩＣとアンテナとを有して誘導電磁界により通信する非接触ＩＣカードである。そして、この記憶媒体４０は、乗車券や定期券、あるいはプリペイドカードとして利用されるものであり、利用区間や有効期限等の乗車関連情報を記憶している。なお、記憶媒体４０は非接触ＩＣカードに限らず、接触型のＩＣカード、磁気記憶カード等、他の記憶媒体により構成しても良い。
【００１９】
前記内側筐体１２の上面出口側には、通過可や通過不可等の情報を表示する表示面１４を備えている。この表示面１４は、通過する利用者が見やすいように、前下がりに傾斜させている。
【００２０】
また、前記内側筐体１２の改札通路３側の側面には、入り口側と出口側にそれぞれ扉１８を備えると共に、各扉１８間に人間検出センサ１５を複数並設している。前記扉１８は、通過可の場合は開動作、通過不可の場合は閉動作するように構成している。また、前記人間検出センサ１５は、通過中の利用者が存在するか否かを検出する。
【００２１】
さらに、前記内側筐体１２の改札通路３側の側面で各扉１８の下方位置には、光源１９（入り口側光源１９ａ、出口側光源１９ｂ）をそれぞれ備えている。この光源１９は、改札通路３の入り口側の通路表面３ａと出口側の通路表面（図示省略）とを、それぞれ改札通路３の外側まで広く照射する。従って、光源１９により通路表面に照射された照射光は、通過方向と直交する方向、すなわち横方向からでも、利用者に視認させることができる。
【００２２】
また、前記内側筐体１２の入り口側正面には、進入可否を矢印やバツ印で表示する通路表示面１７を備えている。この通路表示面１７は、従来の自動改札機と同様に、真正面に向けて進入可否を表示するものであり、横方向から近づく利用者には視認させ難いが、正面から近づく利用者に進入可否を通知することができる。
【００２３】
以上の構成により、利用者によって記憶媒体４０が読取面１６に提示されると、記憶媒体４０に記憶されている乗車関連情報を読み取って通過可否を判定し、扉１８により利用者の通過を規制することができる。そして、改札通路３への利用者の進入を許可するか否かは、通路表示面１７への表示、及び入り口側光源１９ａによる入り口側の通路表面３ａへの照射光の照射で通知することができる。
【００２４】
なお、前記自動改札機１は、両方向からの通過を許可する両用機の場合について説明したが、一方の通過のみを許可する専用機の場合は、例えば改札機本体１０ｂを改札通路３の幅方向へ複数並べて構成するとよい。
【００２５】
次に、図２に示すブロック図と共に、自動改札機１の構成について説明する。  
自動改札機１は、操作部２１、電源部２２、扉部２３、記憶媒体読取部２４、人間検出部２５、制御部２８、警報ランプ部３１、音声案内部３２、通路表示部３３、案内表示部３４、及び通路状態照射部３５といった各機器により構成している。
【００２６】
前記操作部２１は、自動改札機１をメンテナンスする際に保守員が操作する操作部であり、操作された操作信号を制御部２８に送信する。  
前記電源部２２は、商用電源の電圧を各種の動作電圧に変換し、自動改札機１の各機器に電力供給する。  
前記扉部２３は、モータ等の駆動手段を有しており、制御部２８から受信した制御信号に従って扉１８を開閉駆動する。
【００２７】
前記記憶媒体読取部２４は、制御部２８の制御信号に従って、誘導電磁界によって記憶媒体４０の記憶部に記憶されている情報を非接触で読み取る。ここで読み取る情報には、利用区間や有効期限等の乗車関連情報、ＩＤナンバーといった識別情報、利用者の氏名や住所等の個人情報が含まれる。なお、記憶媒体読取部２４はこの構成に限らず、カード型の磁気記憶媒体の投入を受け付け、この磁気記憶媒体から情報を読み取る磁気ヘッドを備えた読取部により構成する等、適宜の構成とすることができる。
【００２８】
前記人間検出部２５は、人間検出センサ１５（図１）により改札通路３内の利用者の通過を検出し、検出した信号を制御部２８に送信する。この人間検出センサ１５は、透過型センサあるいは反射型センサ等の適宜のセンサにより構成することができる。
【００２９】
前記制御部２８は、ＣＰＵ、ＲＯＭ、及びＲＡＭで構成しており、ＲＯＭに記憶したプログラム及び設定情報に従って、接続されている各機器を駆動制御する。  
該制御部２８は、プログラムに従って実行する制御動作として、記憶媒体４０の情報に基づく通過可否の判定、各機器に状態異常があった場合の進入不可の判定、進入不可と判定した場合の通路状態照射部３５による照射光の照射等を実行する。また、各機器に制御信号等を送信した際に、正常な応答信号が帰ってこなければ、機器内部に状態異常があると判定し、警報ランプ部３１等により異常報知する処理も実行する。
【００３０】
前記警報ランプ部３１は、制御部２８の制御信号に従って、通過不可等を示すランプ表示を行う。  
前記音声案内部３２は、制御部２８の制御信号に従って、例えば「係員のいる通路へお回りください」といったように、スピーカによる音声報知あるいはアラーム音の発音を行う。
【００３１】
前記通路表示部３３は、制御部２８の制御信号に従って、改札通路３への進入を進入可とする場合は上向き矢印、進入不可とする場合はバツ印を表示する。  
前記案内表示部３４は、液晶表示装置で構成しており、制御部２８の制御信号に従って文字や図形等による通過可否の表示を行う。
【００３２】
前記通路状態照射部３５は、制御部２８の制御信号に従って、入り口側光源１９ａ及び出口側光源１９ｂ（図１）から通路表面へ照射する照射光の色、及び照射方法（点灯／点滅／消灯）を変化させる。  
なお、前記警報ランプ部３１、音声案内部３２、通路表示部３３、案内表示部３４、及び通路状態照射部３５は、同期をとって駆動するように構成している。
【００３３】
以上の構成により、自動改札機１は、記憶媒体読取部２４で記憶媒体４０の情報を読み取り、通過可否を判定し、扉１８を開閉制御することができる。これと共に、改札通路３への進入を進入不可とする場合には、通路表示部３３及び通路状態照射部３５により利用者に進入不可であることを通知することができる。
【００３４】
次に、図３に示す情報の構成図と共に、制御部２８に記憶している照射設定情報について説明する。  
照射設定情報は、図３（Ａ）に示す専用機設定情報６１、及び図３（Ｂ）に示す両用機設定情報６２により構成しており、各情報には、通路状態照射部３５により照射する照射光の色、及び照射方法で構成する照射パターンを記憶している。  
ここで、自動改札機１は、専用機として使用するか両用機として使用するかの専用機／両用機設定が、自動改札機１が設置されている場所（コーナー）や時間帯に応じて、上位装置により設定されるものである。従って、前記専用機設定情報６１と両用機設定情報６２とは、この専用機／両用機設定に応じて、制御部２８から読み出される。
【００３５】
前記照射パターンには、利用者の通過可否を判定する通過判定処理が完了してから次の記憶媒体４０を検出するまでの待機中パターン６１ａ，６２ａと、記憶媒体読取部２４が記憶媒体４０を検出してから通過可否の判定が終了するまでの通過判定処理中パターン６１ｂ，６２ｂと、機器異常または判定アウトといった異常時パターン６１ｃ，６２ｃの三種類を設定している。
【００３６】
前記待機中パターン６１ａ，６２ａについて詳述すると、専用機設定情報６１は、入り口側を青点灯（青色の連続照射）、出口側を赤点灯に設定しており、両用機設定情報６２は、どちら側も青点灯に設定している。  
前記通過判定処理中パターン６１ｂ，６２ｂについて詳述すると、専用機設定情報６１と両用機設定情報６２のいずれも、入り口側と出口側の両方を青点滅（青色の間欠照射）に設定している。  
前記異常時パターン６１ｃ，６２ｃについて詳述すると、専用機設定情報６１と両用機設定情報６２のいずれも、入り口側と出口側の両方を赤点滅に設定している。
【００３７】
なお、前記光源１９が照射する照射光の色は、青色と赤色のいずれか一方に設定しているが、青色の光源１９としては、ブルーに限らずグリーンを採用してもよく、また赤色の光源１９としては、レッドに限らずピンクやオレンジを採用しても良い。  
この設定情報の構成により、利用者に対して改札通路３への進入可否を直感的に判りやすく示せるようにしている。
【００３８】
次に、図４に示すフローチャートと共に、自動改札機１の制御部２８が実行する制御について、図５の専用機の照射を示す説明図を参照して詳述する。
【００３９】
制御部２８は、まず自動改札機１内の各機器に異常がないか検出する（ステップｎ１）。異常がなかった場合には、制御部２８は利用者進入可と判定して、通路状態照射部３５により待機中パターン６１ａ，６２ａ（図３）の照射を実行する（ステップｎ２）。このとき、自動改札機１が上位装置から専用機設定されていれば、制御部２８から専用機設定情報６１を読み出し、図５（Ａ）に示すように、入り口側光源１９ａは青点灯の照射光を入り口側の通路表面３ａに照射し、出口側光源１９ｂは赤点灯の照射光を出口側の通路表面３ｂに照射することとなる。
【００４０】
次に、制御部２８は、記憶媒体読取部２４により記憶媒体４０を検出するまで、ステップｎ４に処理を進める（ステップｎ３：Ｎｏ）。このステップｎ４では、異常がなければステップｎ２に処理を戻して照射を継続し（ステップｎ４：Ｙｅｓ）、異常があれば利用者進入不可と判定してステップｎ８に処理を進める（ステップｎ４：Ｎｏ）。
【００４１】
ここで、異常ありとは、主に利用者Ｍ１が記憶媒体４０を提示せずに通過しようとして、この通過を人間検出部２５で検出した場合等が該当するが、これに限らず内部機器の状態異常も含まれる。この内部機器の状態異常としては、例えば電源の瞬断により誤動作した場合等が該当する。
【００４２】
前記ステップｎ３で、記憶媒体読取部２４により記憶媒体４０を検出すると（ステップｎ３：Ｙｅｓ）、制御部２８は、読み取った情報に基づいて利用者の通過可否を判定すると共に、通路状態照射部３５により通過判定処理中パターン６１ｂ，６２ｂ（図３）の照射を実行する（ステップｎ５）。このとき、図５（Ｂ）に示すように、入り口側光源１９ａおよび出口側光源１９ｂは、いずれも青点滅の照射光を、それぞれ入り口側の通路表面３ａと出口側の通路表面３ｂとに照射することとなる。
【００４３】
さらに、制御部２８は、通過判定処理が完了し、かつ人間検出部２５による利用者Ｍ１の検出がＯＦＦとなるまで、ステップｎ７に処理を進める（ステップｎ６：Ｎｏ）。  
このステップｎ７では、異常がなければステップｎ５に処理を戻し（ステップｎ７：Ｙｅｓ）、図５（Ｃ）に示すように、利用者Ｍ１が改札通路３を通過している間、前記ステップｎ５の照射を継続する。異常があれば、次利用者進入不可と判定してステップｎ８に処理を進める（ステップｎ７：Ｎｏ）。
【００４４】
ここで、異常ありとは、主に利用者Ｍ１の通過判定で通過不可と判定した場合等が該当するが、そのほかにも、内部機器の状態異常も含まれる。この内部機器の状態異常としては、例えば記憶媒体４０が磁気記憶媒体であり、この投入を受け付けて通過可否を判定する構成とした場合に、搬送路内で磁気記憶媒体が詰まったとき等が該当する。
【００４５】
そして、前記ステップｎ６で通過判定処理が完了し、かつ人間検出部２５による利用者Ｍ１の検出がＯＦＦとなれば（ステップｎ６：Ｙｅｓ）、ステップｎ１に処理を戻す。これにより、異常がなければ（ステップｎ１：Ｙｅｓ）、制御部２８は、利用者進入可と判定して、自動改札機１が上位装置から専用機設定されていれば、制御部２８から専用機設定情報６１を読み出し、図６（Ｄ）に示すように、入り口側光源１９ａは青点灯の照射光を入り口側の通路表面３ａに照射し、出口側光源１９ｂは赤点灯の照射光を出口側の通路表面３ｂに照射する待機中パターン６１ａ（図３）に照射パターンを戻し、次の利用者Ｍ１の進入を許可することとなる。
【００４６】
前記ステップｎ４またはステップｎ７で異常ありとなった場合には、制御部２８は、次利用者進入不可と判定して、通路状態照射部３５により異常時パターン６１ｃ，６２ｃ（図３）の照射を実行する（ステップｎ８）。このとき、図６（Ｅ）に示すように、入り口側光源１９ａおよび出口側光源１９ｂは、いずれも赤点滅の照射光を、それぞれ入り口側の通路表面３ａと出口側の通路表面３ｂとに照射し、進入不可であることを示すこととなる。従って、この自動改札機１を目指して歩いている次の利用者Ｍ２は、進入不可となったことを即座に視認することができる。
【００４７】
制御部２８は、異常の解除を検出するまでステップｎ８に処理を戻して照射を継続し（ステップｎ９：Ｎｏ）、異常の解除を検出できれば、利用者進入可と判定してステップｎ２に処理を戻し（ステップｎ９：Ｙｅｓ）、待機中パターン６１ａ，６２ａに移行する。この異常の解除は、通過判定処理で通過不可と判定した後に利用者Ｍ１が改札通路３から入り口側へ戻ったことを人間検出部２５で検出した場合や、内部機器の状態異常が解消した場合等が該当する。
【００４８】
以上の動作により、利用者が改札通路３に進入することを拒否する場合、つまり異常（通過不可判定や機器の状態異常）があった場合は、入り口側の通路表面３ａに赤色の照射光を照射し、進入不可であることを利用者に通知することができる。利用者は、自動改札機１に近づく前に、入り口側の通路表面３ａに広く照射された赤色の照射光を見て、その改札通路３は進入不可であることを視認することができる。従って、利用者は、複数並設された自動改札機１のうち、進入可能な改札通路３の自動改札機１を目指して近づくことができる。このため、利用者の動線が乱れることを少なくでき、混雑時でも整然としたスムーズな通過を促すことができる。
【００４９】
また、通過判定処理中は、記憶媒体４０の受け付けは一時中断するのであるが、このときは青色点滅の照射光を入り口側の通路表面３ａに照射するため、利用者は、処理中であることを容易に認識でき、さらに処理が完了すれば次に進入可となることが推測できるため、戸惑うことなく自動改札機１を利用することができる。
【００５０】
なお、専用機の場合に、通過判定処理中パターン６１ａで出口側に青点滅の照射光を照射するよう設定したが、赤点滅または赤点灯の照射光を照射するように設定してもよい。この場合は、出口側にいる利用者が、逆方向へも進入可能な両用機タイプの自動改札機１であると誤解することを防止できる。
【００５１】
また、入り口側光源１９ａ及び出口側光源１９ｂを設ける位置は、自動改札機１の上部近傍、例えば扉１８の上方に設定し、高い位置から下方へ照射光を照射する構成としてもよい。この場合は、利用者の足元だけに照射光を照射するのではなく、利用者の腰あたりも含めて通路表面へ照射光を照射できるため、利用者は照射光をより容易に視認することができる。
【００５２】
この発明の構成と、上述の実施形態との対応において、
この発明のゲート装置は、実施形態の自動改札機１に対応し、
以下同様に、
通路は、改札通路３に対応し、
利用者検出手段は、人間検出部２５に対応し、
照射手段は、通路状態照射部３５に対応し、
進入可否判定手段は、ステップｎ１，ｎ３，ｎ４，ｎ６，ｎ７，ｎ９を実行する制御部２８に対応し、
照射制御手段は、ステップｎ２，ｎ５ｎ，ｎ８を実行する制御部２８に対応するも、
この発明は、上述の実施形態の構成のみに限定されるものではなく、多くの実施の形態を得ることができる。
【図面の簡単な説明】
【００５３】
【図１】自動改札機の構成を示す斜視図。
【図２】自動改札機の構成を示すブロック図。
【図３】照射設定情報の説明図。
【図４】自動改札機の動作を示すフローチャート。
【図５】専用機の照射を示す説明図。
【図６】専用機の照射を示す説明図。
【符号の説明】
【００５４】
１…自動改札機
３…改札通路
３ａ…入り口側の通路表面
２５…人間検出部
２８…制御部
３５…通路状態照射部
４０…記憶媒体
【図１】
2006215796.tif 000003
【図２】
2006215796.tif 000004
【図３】
2006215796.tif 000005
【図４】
2006215796.tif 000006
【図５】
2006215796.tif 000007
【図６】
2006215796.tif 000008